(57)【特許請求の範囲】
【請求項１】
プライマリセル及びセカンダリセルを用いてキャリアアグリゲーションを行うことができるように構成されている移動通信システムで用いられる移動局であって、
セカンダリセルのみからなるグループごとに所定数のセルを選択し、選択した該セルにおいて、無線リンクを監視するように構成されている監視部を具備することを特徴とする移動局。
【請求項２】
前記監視部は、前記所定数のセルとして、１つのセルを選択するように構成されていることを特徴とする請求項１に記載の移動局。
【請求項３】
前記監視部は、前記１つのセルとして、タイミング参照セルを選択するように構成されており、
前記タイミング参照セルは、前記グループ内で最後にランダムアクセス手順を行ったセルにおける報知情報に関連付けられているセルであることを特徴とする請求項２に記載の移動局。
【請求項４】
前記監視部は、前記１つのセルとして、前記グループ内で最も小さいインデックスのセルを選択するように構成されていることを特徴とする請求項２に記載の移動局。
【請求項５】
前記監視部は、前記１つのセルとして、前記グループ内で最も大きいインデックスのセルを選択するように構成されていることを特徴とする請求項２に記載の移動局。
【請求項６】
前記監視部は、前記１つのセルとして、無線基地局によって指定されたセルを選択するように構成されていることを特徴とする請求項２に記載の移動局。
【請求項７】
前記監視部は、一定期間、前記無線リンクにおける下りリンク信号が検出されない場合に、無線リンク障害を検出するように構成されていることを特徴とする請求項２に記載の移動局。
【請求項８】
上りリンク信号を送信するように構成されている送信部を具備し、
前記監視部が、前記無線リンク障害を検出した場合に、前記送信部は、前記上りリンク信号の送信を停止するように構成されていることを特徴とする請求項７に記載の移動局。
【請求項９】
前記グループ内のセカンダリセルの状態を管理するように構成されている管理部を具備し、
前記監視部が、前記無線リンク障害を検出した場合に、前記管理部は、前記グループ内の全てのセカンダリセルを非アクティブ状態とするように構成されていることを特徴とする請求項８に記載の移動局。
【請求項１０】
前記グループ内のセカンダリセルの状態を管理するように構成されている管理部を具備し、
前記監視部が、前記無線リンク障害を検出した場合に、前記管理部は、前記グループ内の全てのセカンダリセルを削除するように構成されていることを特徴とする請求項８に記載の移動局。
【請求項１１】
前記グループ内のセカンダリセルに割り当てられている個別の上りリンクリソースを管理するように構成されている管理部を具備し、
前記監視部が、前記無線リンク障害を検出した場合に、前記管理部は、前記グループ内の全てのセカンダリセルに対して割り当てられている個別の上りリンクリソースを解放するように構成されていることを特徴とする請求項８に記載の移動局。
【請求項１２】
上りリンクにおけるタイミングにずれが生じていないことを保証する時間を管理するタイマを管理するように構成されている管理部を具備し、
前記監視部が、前記無線リンク障害を検出した場合に、前記管理部は、前記タイマを停止するように構成されていることを特徴とする請求項８に記載の移動局。
【請求項１３】
上りリンクにおけるタイミングにずれが生じていないことを保証する時間を管理するタイマを管理するように構成されている管理部を具備し、
前記監視部が、前記無線リンク障害を検出した場合に、前記管理部は、前記タイマが満了したものと見なすように構成されていることを特徴とする請求項８に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＣＡ（Ｃａｒｒｉｅｒ  Ａｇｇｒｅｇａｔｉｏｎ、キャリアアグリゲーション）において、無線特性の異なる複数のＣＣ（Ｃｏｍｐｏｎｅｎｔ  Ｃａｒｒｉｅｒ、コンポーネントキャリア）が存在する場合、ほぼ同じの無線特性のＣＣからなる複数のグループを形成し、各グループに対して異なる「ＵＬ  Ｔｉｍｉｎｇ  Ａｌｉｇｎｍｅｎｔ制御」を適用する「Ｍｕｌｔｉｐｌｅ  Ｔｉｍｉｎｇ  Ａｄｖａｎｃｅｓ（ＭＴＡ）」について検討されている。
【０００３】
かかるグループには、Ｐｃｅｌｌ（Ｐｒｉｍａｒｙ  Ｃｅｌｌ、プライマリセル）を含むｐＴＡＧ（ＴＡ  Ｇｒｏｕｐ）及びＳｃｅｌｌのみからなるｓＴＡＧの２種類が存在する。
【先行技術文献】
【非特許文献】
【０００４】
【非特許文献１】３ＧＰＰ寄書  Ｒ２-１１６５０３
【発明の概要】
【発明が解決しようとする課題】
【０００５】
現在、ＬＴＥ-Ａｄｖａｎｃｅｄ方式では、ＣＡが行われている場合であっても、移動局ＵＥは、Ｐｃｅｌｌにおいてのみ無線リンクの管理（ＲＬＭ：Ｒａｄｉｏ  Ｌｉｎｋ  Ｍｏｎｉｔｏｒｉｎｇ）を行うように構成されている。
【０００６】
ここで、「Ｉｎｔｒａ-ｂａｎｄ  ＣＡ」が行われている場合には、Ｐｃｅｌｌ及びＳｃｅｌｌにおける無線特性が同等であるため、ＰｃｅｌｌにおいてＲＬＦが検出されていなければ、ＳｃｅｌｌにおいてもＲＬＦが検出されないと推測可能である。
【０００７】
しかしながら、「Ｉｎｔｅｒ-ｂａｎｄ  ＣＡ」が行われている場合には、ＴＡＧごとに、無線特性が異なる可能性があるため、ＰｃｅｌｌにおいてのみＲＬＭを行うと、図４に示すように、バンド＃Ａ（ｐＴＡＧ）におけるＰｃｅｌｌ及びＳｃｅｌｌの品質が良いが、バンド＃Ｂ（ｓＴＡＧ）におけるＳｃｅｌｌの品質が劣化しているというケースが発生し、品質が劣化しているＳｃｅｌｌにおいて、ネットワークによって制御できていない上りリンク信号の送信が行われてしまう可能性があるという問題点があった。
【０００８】
そこで、本発明は、上述の課題に鑑みてなされたものであり、「Ｉｎｔｅｒ-ｂａｎｄ  ＣＡ」が行われている場合であっても、上りリンク信号の送信を適切に制御することができる移動局を提供することを目的とする。
【課題を解決するための手段】
【０００９】
本発明の第１の特徴は、プライマリセル及びセカンダリセルを用いてキャリアアグリゲーションを行うことができるように構成されている移動通信システムで用いられる移動局であって、セカンダリセルのみからなるグループごとに所定数のセルを選択し、選択した該セルにおいて、無線リンクを監視するように構成されている監視部を具備することを要旨とする。
【発明の効果】
【００１０】
以上説明したように、本発明によれば、「Ｉｎｔｅｒ-ｂａｎｄ  ＣＡ」が行われている場合であっても、上りリンク信号の送信を適切に制御することができる移動局を提供することができる。
【図面の簡単な説明】
【００１１】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】従来の移動通信システムの問題点を説明するための図である。
【発明を実施するための形態】
【００１２】
（本発明の第１の実施形態に係る移動通信システム）
図１乃至図３を参照して、本発明の第１の実施形態に係る移動通信システムについて説明する。
【００１３】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００１４】
具体的には、実施形態に係る移動通信システムは、「Ｉｎｔｒａ-ｂａｎｄ  ＣＡ」及び「Ｉｎｔｅｒ-ｂａｎｄ  ＣＡ」の少なくとも一方を行うことができるように構成されている。
【００１５】
図１に示すように、本実施形態に係る移動通信システムは、セル＃１を管理する無線基地局ｅＮＢ＃１や、セル＃２を管理する無線基地局ｅＮＢ＃２や、セル＃１１を管理する無線基地局ｅＮＢ＃１１や、セル＃２１を管理する無線基地局ｅＮＢ＃２１等を具備している。
【００１６】
例えば、セル＃１/＃２は、広いエリアをサポートするカバレッジバンド、例えば、バンド＃Ａ内のキャリアによって運用されているセル（例えば、マクロセル）であってもよい。
【００１７】
一方、セル＃１１/＃２１は、それぞれ、セル＃１/＃２のカバーエリア内に配置されており、ホットスポットにおいてスループットを改善させるためのキャパシティバンド、例えば、バンド＃Ｂ内のキャリアによって運用されているセル（例えば、ピコセル）であってもよい。
【００１８】
また、本実施形態において、セル＃１は、移動局ＵＥに対してＰｃｅｌｌとして設定されており、セル＃２/＃１１/＃２１は、移動局ＵＥに対してＳｃｅｌｌとして設定されていてもよい。
【００１９】
図２に示すように、本実施形態に係る移動局ＵＥは、管理部１１と、受信部１２と、監視１３と、送信部１４とを具備している。
【００２０】
管理部１１は、各Ｓｃｅｌｌの状態を管理するように構成されている。すなわち、管理部１１は、各Ｓｃｅｌｌが「Ａｃｔｉｖａｔｅｄ状態（アクティブ状態）」であるか或いは「Ｄｅａｃｔｉｖａｔｅｄ状態（非アクティブ状態）」であるかについて管理するように構成されている。
【００２１】
また、管理部１１は、Ｓｃｅｌｌに割り当てられている個別の上りリンクリソースを管理するように構成されている。
【００２２】
さらに、管理部１１は、上りリンクにおけるタイミングにずれが生じていないことを保証する時間を管理するＴＡＴ（Ｔｉｍｉｎｇ  Ａｌｉｇｎｍｅｎｔ  Ｔｉｍｅｒ）を管理するように構成されている。
【００２３】
ここで、移動局ＵＥは、ＴＡＴが停止している場合、及び、ＴＡＴが満了している場合、上りリンクにおけるタイミングにずれが生じていると判定するように構成されている。
【００２４】
受信部１２は、無線基地局ｅＮＢからの下りリンク信号を受信するように構成されており、送信部１４は、無線基地局ｅＮＢに対して上りリンク信号を送信するように構成されている。
【００２５】
監視部１１は、ＴＡＧごとに、所定数（例えば、１つ）のセル（Ｐｃｅｌｌ或いはＳｃｅｌｌ）を選択し、選択したセル（Ｐｃｅｌｌ/Ｓｃｅｌｌ）において、無線リンクを監視するように構成されている。
【００２６】
なお、監視部１１は、ｓＴＡＧについては、監視するセルを、（同じＴＡＧ内に含まれる）Ｓｃｅｌｌに限定するように構成されていてもよい。
【００２７】
例えば、監視部１３は、上述の１つのセルとして、「Ｔｉｍｉｎｇ  ｒｅｆｅｒｅｎｃｅ  ｃｅｌｌ」を選択し、かかるセルにおいて、無線リンクを監視するように構成されていてもよい。
【００２８】
ここで、「Ｔｉｍｉｎｇ  ｒｅｆｅｒｅｎｃｅ  ｃｅｌｌ」は、ｓＴＡＧ内で最後にランダムアクセス手順を行ったセルにおけるＳＩＢ-２（報知情報）に関連付けられているセル、すなわち、「ＳＩＢ-２  Ｌｉｎｋｅｄ  Ｃｅｌｌ（ＤＬ）」である。
【００２９】
なお、監視部１１は、ｐＴＡＧについては、監視するセルを、Ｐｃｅｌｌに限定するように構成されていてもよい。
【００３０】
また、監視部１３は、上述の１つのセルとして、ｓＴＡＧ内で最も小さいＳＣｅｌｌＩｎｄｅｘのセルを選択し、かかるセルにおいて、無線リンクを監視するように構成されていてもよい。
【００３１】
或いは、監視部１３は、上述の１つのセルとして、ｓＴＡＧ内で最も大きいＳＣｅｌｌＩｎｄｅｘのセルを選択し、かかるセルにおいて、無線リンクを監視するように構成されていてもよい。
【００３２】
また、監視部１３は、上述の１つのセルとして、無線基地局ｅＮＢによって指定されたセルを選択し、かかるセルにおいて、無線リンクを監視するように構成されていてもよい。
【００３３】
なお、監視部１３は、Ｐｃｅｌｌにおいて、無線リンクを監視するように構成されているため、ｐＴＡＧ内のＳｃｅｌｌにおいては、無線リンクを監視しないように構成されている。
【００３４】
また、監視部１３は、選択したセルにおいて、一定期間、無線リンクにおける下りリンク信号が検出されない場合に、ＲＬＦ（Ｒａｄｉｏ  Ｌｉｎｋ  Ｆａｉｌｕｒｅ）を検出するように構成されている。
【００３５】
ここで、監視部１３は、タイマを用いて、かかる一定期間を連続的に計測するように構成されていてもよいし、保護段数を用いて、かかる一定期間を断続的に計測するように構成されていてもよいし、或いは、タイマ及び保護段数の両方を用いて、かかる一定期間を計測するように構成されていてもよい。
【００３６】
例えば、監視部１３が、選択したセルにおいて、ＲＬＦを検出した場合に、送信部１４は、ＲＬＦを検出したセル（Ｓｃｅｌｌ）が含まれるｓＴＡＧ内の全てのＳｃｅｌｌについて、全ての上りリンク信号の送信を停止するように構成されていてもよい。
【００３７】
また、監視部１３が、選択されたセルにおいて、ＲＬＦを検出した場合に、管理部１１は、ＲＬＦを検出したセル（Ｓｃｅｌｌ）が含まれるｓＴＡＧ内の全てのＳｃｅｌｌを「Ｄｅａｃｔｉｖａｔｅｄ状態」とするように構成されていてもよい。
【００３８】
或いは、監視部１３が、選択したセルにおいて、ＲＬＦを検出した場合に、管理部１１は、ＲＬＦを検出したセル（Ｓｃｅｌｌ）が含まれるｓＴＡＧ内の全てのＳｃｅｌｌを削除（ｄｅｃｏｎｆｉｇｕｒｅ）するように構成されていてもよい。
【００３９】
また、監視部１３が、選択したセルにおいて、ＲＬＦを検出した場合に、管理部１１は、ＲＬＦを検出したセル（Ｓｃｅｌｌ）が含まれるｓＴＡＧ内の全てのＳｃｅｌｌに対して割り当てられている個別の上りリンクリソースを解放するように構成されていてもよい。
【００４０】
さらに、監視部１３が、選択したセルにおいて、ＲＬＦを検出した場合に、管理部１１は、ＲＬＦを検出したセル（Ｓｃｅｌｌ）が含まれるＴＡＧに対して管理されているＴＡＴを停止するように構成されていてもよいし、ＴＡＴが満了したものと見なすように構成されていてもよい。
【００４１】
なお、監視部１３が、Ｐｃｅｌｌにおいて、ＲＬＦを検出した場合には、送信部１４は、上りリンク信号の送信を停止し、再接続手順を行うように構成されている。
【００４２】
以下、図３を参照した、本実施形態に係る移動局ＵＥの動作について説明する。
【００４３】
図３に示すように、移動局ＵＥは、ステップＳ１０１において、ＰｃｅｌｌにおいてＲＬＭを行う。
【００４４】
ここで、移動局ＵＥが、Ｐｃｅｌｌにおいて、ＲＬＦを検出すると、本動作は、ステップＳ１０２に進み、それ以外の場合は、本動作は、ステップＳ１０３に進む。
【００４５】
ステップＳ１０２において、移動局ＵＥは、全ての上りリンク信号の送信を停止し、再接続手順を行う。
【００４６】
ステップＳ１０３において、移動局ＵＥは、ｓＴＡＧ内の１つのセル（Ｓｃｅｌｌ）を選択し、選択したセルにおいてＲＬＭを行う。
【００４７】
ここで、移動局ＵＥが、選択したセルにおいて、ＲＬＦを検出すると、本動作は、ステップＳ１０４に進み、それ以外の場合は、本動作は、終了する。
【００４８】
ステップＳ１０４において、移動局ＵＥは、全ての上りリンク信号の送信を停止する。なお、かかる場合、移動局ＵＥは、Ｐｃｅｌｌとの間で同期が取れているため、再接続手順を行わなくてもよい。
【００４９】
本実施形態に係る発明によれば、移動局ＵＥが、Ｐｃｅｌｌだけではなく、ｓＴＡＧごとに、１つのＳｃｅｌｌにおいても、ＲＬＭを行うように構成されているため、「Ｉｎｔｅｒ-ｂａｎｄ  ＣＡ」が行われている場合であっても、上りリンク信号の送信を適切に制御することができる。
【００５０】
以上に述べた本実施形態の特徴は、以下のように表現されていてもよい。
【００５１】
本実施形態の第１の特徴は、Ｐｃｅｌｌ（プライマリセル）及びＳｃｅｌｌ（セカンダリセル）を用いてＣＡ（キャリアアグリゲーション）を行うことができるように構成されている移動通信システムで用いられる移動局ＵＥであって、ｓＴＡＧ（Ｓｃｅｌｌのみからなるグループ）ごとに所定数のセルを選択し、選択したセルにおいて、無線リンクを監視するように構成されている監視部１３を具備することを要旨とする。
【００５２】
本実施形態の第１の特徴において、監視部１３は、所定数のセルとして、１つのセルを選択するように構成されていてもよい。
【００５３】
本実施形態の第１の特徴において、監視部１３は、１つのセルとして、「Ｔｉｍｉｎｇ  ｒｅｆｅｒｅｎｃｅ  ｃｅｌｌ（タイミング参照セル）」を選択するように構成されており、「Ｔｉｍｉｎｇ  ｒｅｆｅｒｅｎｃｅ  ｃｅｌｌ」は、ｓＴＡＧ内で最後にランダムアクセス手順を行ったセルにおけるＳＩＢ２（報知情報）に関連付けられているセルであってもよい。
【００５４】
本実施形態の第１の特徴において、監視部１３は、１つのセルとして、ｓＴＡＧ内で最も小さいＳＣｅｌｌＩｎｄｅｘ（インデックス）のセルを選択するように構成されていてもよい。
【００５５】
本実施形態の第１の特徴において、監視部１３は、１つのセルとして、ｓＴＡＧ内で最も大きいＳＣｅｌｌＩｎｄｅｘのセルを選択するように構成されていてもよい。
【００５６】
本実施形態の第１の特徴において、監視部１３は、１つのセルとして、無線基地局ｅＮＢによって指定されたセルを選択するように構成されていてもよい。
【００５７】
本実施形態の第１の特徴において、監視部１３は、一定期間、無線リンクにおける下りリンク信号が検出されない場合に、ＲＬＦ（無線リンク障害）を検出するように構成されていてもよい。
【００５８】
本実施形態の第１の特徴において、上りリンク信号を送信するように構成されている送信部１４を具備し、監視部１３が、ＲＬＦを検出した場合に、送信部１４は、上りリンク信号の送信を停止するように構成されていてもよい。
【００５９】
本実施形態の第１の特徴において、ｓＴＡＧ内のＳｃｅｌｌの状態を管理するように構成されている管理部１１を具備し、監視部１３が、ＲＬＦを検出した場合に、管理部１１は、ｓＴＡＧ内の全てのＳｃｅｌｌを「Ｄｅａｃｔｉｖａｔｅｄ状態（非アクティブ状態）」とするように構成されていてもよい。
【００６０】
本実施形態の第１の特徴において、ｓＴＡＧ内のＳｃｅｌｌの状態を管理するように構成されている管理部１１を具備し、監視部１３が、ＲＬＦを検出した場合に、管理部１１は、ｓＴＡＧ内の全てのＳｃｅｌｌを削除するように構成されていてもよい。
【００６１】
本実施形態の第１の特徴において、ｓＴＡＧ内のＳｃｅｌｌに割り当てられている個別の上りリンクリソースを管理するように構成されている管理部１１を具備し、監視部１３が、ＲＬＦを検出した場合に、管理部１１は、ｓＴＡＧ内の全てのＳｃｅｌｌに対して割り当てられている個別の上りリンクリソースを解放するように構成されていてもよい。
【００６２】
本実施形態の第１の特徴において、上りリンクにおけるタイミングにずれが生じていないことを保証する時間を管理するＴＡＴ（タイマ）を管理するように構成されている管理部１１を具備し、監視部１３が、ＲＬＦを検出した場合に、管理部１１は、ＴＡＴを停止するように構成されていてもよい。
【００６３】
本実施形態の第１の特徴において、上りリンクにおけるタイミングにずれが生じていないことを保証する時間を管理するＴＡＴ（タイマ）を管理するように構成されている管理部１１を具備し、監視部１３が、ＲＬＦを検出した場合に、管理部１１は、ＴＡＴが満了したものと見なすように構成されていてもよい。
【００６４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
１１…管理部
１２…受信部
１３…監視部
１４…送信部
【図１】
0005859865.tif 000002
【図２】
0005859865.tif 000003
【図３】
0005859865.tif 000004
【図４】
0005859865.tif 000005